(57)【要約】【課題】携帯端末の角度を調整することができる携帯性に優れた携帯端末用スタンドを提供する。【解決手段】板状の本体部材１０の孔１１に、取付部材２０の本体取付部２２が貫通しており、本体取付部の一方の先端に形成された貼着部２１を携帯端末４０に貼着する。携帯端末４０及び本体部材１０を載置面に載置することにより、携帯端末４０が載置面に対し任意の角度で保持される。本体取付部２２の他方の先端に形成されたストラップ取付部２３は、外形寸法が孔１１の内形寸法より大きく、本体部材１０が取付部材２０から抜けることはない。【選択図】  図１
2014078795.tif 000002
【特許請求の範囲】
【請求項１】
第１の孔が形成された板状の本体部材と、
棒状の本体取付部と、前記本体取付部の一方の先端に形成された貼着部と、前記本体取付部の他方の先端に形成されたストラップ取付部と、を有する取付部材と、を備え、
前記本体部材は、前記第１の孔に前記本体取付部が貫通することにより前記本体取付部に取り付けられ、
前記ストラップ取付部は、外形寸法が前記第１の孔の内形寸法より大きくなるように形成され、
前記貼着部を携帯端末に貼着し、前記携帯端末及び前記本体部材を載置面に載置することにより、前記携帯端末を前記載置面に対し任意の角度で保持することを特徴とする携帯端末用スタンド。
【請求項２】
請求項１に記載の携帯端末用スタンドであって、
前記ストラップ取付部には、第２の孔が形成され、
前記第２の孔は、前記ストラップ取付部の前記第２の孔を除いた寸法が前記第１の孔の内形寸法より小さくなるように形成された
ことを特徴とする携帯端末用スタンド。
【請求項３】
請求項１又は２のいずれかに記載の携帯端末用スタンドであって、
前記貼着部は、吸盤であることを特徴とする携帯端末用スタンド。
【請求項４】
請求項１から３のいずれか一項に記載の携帯端末用スタンドであって、
前記第１の孔は、前記本体部材の周縁近傍に形成される
ことを特徴とする携帯端末用スタンド。
【発明の詳細な説明】
【技術分野】
【０００１】
本発明は、携帯端末用スタンドに関する。
【背景技術】
【０００２】
特許文献１、２には、人や動物等の形状を模した人形の背面に設けられた吸盤を携帯端末に取り付け、人形を載置面上に置くことにより、携帯端末を自立させることができる携帯端末用スタンドが開示されている。
【先行技術文献】
【特許文献】
【０００３】
【特許文献１】実用新案登録３１７５０６３号公報
【特許文献２】実用新案登録３１７６５２２号公報
【発明の概要】
【発明が解決しようとする課題】
【０００４】
しかしながら、特許文献１、２に記載の発明では、携帯端末に取り付けるストラップとしては大きく、持ち運ぶ際に邪魔になるという問題がある。
【０００５】
さらに、特許文献１に記載の発明では、携帯端末の角度を調整するための機構を人形に設けなければならず、構成が複雑となり、製造コストが高くなるという問題がある。
【０００６】
それに対し、特許文献２に記載の発明では、人形に複雑な機構を設けておらず、製造コストはかからない。しかしながら、特許文献２に記載の発明では、携帯端末の角度を調整することができないという問題がある。
【０００７】
本発明はこのような事情に鑑みてなされたもので、携帯端末の角度を調整することができる携帯性に優れた簡単な構成の携帯端末用スタンドを提供することを目的とする。
【課題を解決するための手段】
【０００８】
上記課題を解決するために、本発明に係る携帯端末用スタンドは、例えば、第１の孔が形成された板状の本体部材と、棒状の本体取付部と、前記本体取付部の一方の先端に形成された貼着部と、前記本体取付部の他方の先端に形成されたストラップ取付部と、を有する取付部材と、を備え、前記本体部材は、前記第１の孔に前記本体取付部が貫通することにより前記本体取付部に取り付けられ、前記ストラップ取付部は、外形寸法が前記第１の孔の内形寸法より大きくなるように形成され、前記貼着部を携帯端末に貼着し、前記携帯端末及び前記本体部材を載置面に載置することにより、前記携帯端末を前記載置面に対し任意の角度で保持することを特徴とする。
【０００９】
本発明に係る携帯端末用スタンドによれば、板状の本体部材の第１の孔に、取付部材の本体取付部が貫通しており、本体取付部の一方の先端に形成された貼着部を携帯端末に貼着する。これにより、携帯端末及び本体部材を載置面に載置することにより、携帯端末が載置面に対し任意の角度で保持される。また、本体取付部の他方の先端に形成されたストラップ取付部の外形寸法が第１の孔の内形寸法より大きいため、本体部材が取付部材から抜けることはない。
【００１０】
また、本発明は、前記ストラップ取付部には、第２の孔が形成され、前記第２の孔は、前記ストラップ取付部の前記第２の孔を除いた寸法が前記第１の孔の内形寸法より小さくなるように形成されてもよい。これにより、本体部材を取付部材に容易に取り付けることができる。
【００１１】
また、本発明は、前記貼着部は、吸盤であってもよい。これにより、繰り返しの貼着を容易に行うことができる。
【００１２】
また、本発明は、前記第１の孔は、前記本体部材の周縁近傍に形成されてもよい。これにより、角度調整を行いやすくすることができる。
【発明の効果】
【００１３】
本発明によれば、携帯端末の角度を調整することができる携帯性に優れた携帯端末用スタンドを提供することができる。
【図面の簡単な説明】
【００１４】
【図１】本発明の一例である携帯端末用スタンド１の使用状態を示す側面図である。
【図２】携帯端末用スタンド１の使用状態を示す側面図である。
【図３】携帯端末用スタンド１の部分断面図である。
【図４】携帯端末用スタンド１の分解側面図である。
【図５】携帯端末用スタンド１の使用方法を説明する図である。
【発明を実施するための形態】
【００１５】
以下、本発明の実施形態を、図面を参照して詳細に説明する。
【００１６】
図１は、本発明の一例である携帯端末用スタンド１の使用状態を示す側面図である。図２は、携帯端末用スタンド１の正面斜視図である。図３は、携帯端末用スタンド１の部分断面図である。図４は、携帯端末用スタンド１の分解側面図である。
【００１７】
携帯端末用スタンド１は、図１に示すように、携帯端末４０を載置面に対し任意の角度で保持するためのものである。図１、２に示すように、携帯端末用スタンド１は、主として、本体部材１０と、取付部材２０と、ストラップ３０とを有している。
【００１８】
本体部材１０は、剛性を有する硬質樹脂等で形成された板状の部材である。図３に示すように、本体部材１０の上端部には、断面が円形の孔１１が形成される。本実施の形態では、孔１１は本体部材１０の上端部に形成されているが、孔１１が形成される位置はこれに限られない。ただし、携帯端末４０の角度調整を容易にする（後に詳述）ためには、本体部材１０の周縁近傍に形成されることが望ましい。なお、本体部材１０は、硬質樹脂限らず、剛性を有する素材であればどのような材料で形成されていてもよい。
【００１９】
取付部材２０は、可撓性及び弾力性を有する軟質樹脂、エラストマー等の材料で形成される。図３に示すように、取付部材２０は、貼着部２１と、本体取付部２２と、ストラップ取付部２３とを備える。貼着部２１と、本体取付部２２と、ストラップ取付部２３とは、一体形成される。なお、取付部材２０は、軟質樹脂やゴムに限らず、可撓性及び弾力性を有する素材であればどのような材料で形成されていてもよい。ただし、可撓性及び弾力性有し、かつ後述する抜け止め機能を考慮すると、エラストマー又は軟質塩化ビニル樹脂で取付部材２０を形成することが望ましい。
【００２０】
貼着部２１は、気圧差を利用して平滑な面（例えば、携帯端末の裏面）に対し着脱自在とする吸盤である。なお、貼着部２１としては、吸盤に限らず、繰り返し使用可能な貼着部材であればよい。例えば、繰り返し貼着と剥離が可能な粘着シートを使用することもできる。
【００２１】
本体取付部２２は、断面が円形の棒状の部材である。本体取付部２２の一端には貼着部２１が形成され、他端にはストラップ取付部２３が形成される。本実施の形態では、本体取付部２２の断面が円形であるが、本体取付部２２の断面形状は円形に限られず、例えば矩形でもよい。ここでいう矩形とは、矩形及び矩形の角が丸みを帯びた矩形を含むものとする。
【００２２】
図３に示すように、本体取付部２２の外形寸法ａは、孔１１の内部を貫通できるように、孔１１の内形寸法ｂよりも小さく形成される。また、本体取付部２２の長さｌは、本体部材１０の厚さｔより大きく形成される。
【００２３】
ストラップ取付部２３は、ストラップ３０を取り付けるための孔２３Ａが形成される。図３に示すように、ストラップ取付部２３の外側寸法ｃは、孔１１の内形寸法ｂよりも大きく形成される。特に、後述する本体部材１０が取付部材２０から抜ける抜け止めの機能及び組立性の両方を考慮すると、外側寸法ｃは内形寸法ｂの１．２倍であることが望ましい。ここでいう内形寸法ｂの１．２倍とは、内形寸法ｂの１．２倍及び数ミリの誤差を含んだ範囲を指す。
また、図４に示すように、ストラップ取付部２３の孔２３Ａ以外のストラップ保持部２３Ｂを重ねたときの厚さｄは、孔１１の内形寸法ｂよりも小さく形成される。
【００２４】
なお、ストラップ取付部２３は、背面側（図３右側）からみて円形でもよいし、矩形でもよい。本実施の形態では、略長方形に形成されている（図２参照）。また、ストラップ取付部２３の外側寸法ｃは、少なくとも１方向（例えば図３上下方向）で満足すればよい。
【００２５】
ストラップ３０は、環状部材３１と、紐取付部材３２と、紐３３と、コネクタ３４とを有する。
【００２６】
環状部材３１は、ストラップ取付部２３の孔２３Ａと、紐３３及びコネクタ３４が連結された紐取付部材３２とを連結する。なお、環状部材３１及び紐取付部材３２は必須ではなく、紐３３を直接孔２３Ａに取り付けてもよい。ただし、後に詳述する抜け止め効果を得るためには、環状部材３１を用いることが望ましい。
【００２７】
コネクタ３４は、携帯端末４０の端子穴（図示せず）に接続可能なコネクタ形状を備える部材であり、本実施の形態ではオーディオ出力端子に接続可能なコネクタ形状を備えている。携帯端末４０の端子穴にコネクタ３４を挿入することにより、携帯端末用スタンド１を携帯端末４０に取り付ける。なお、コネクタ３４は必須ではなく、例えば携帯端末４０に紐３３を通す孔が形成されている場合にはコネクタ３４は不要である。
【００２８】
次に、このように構成された携帯端末用スタンド１の組立について説明する。図４に示すように、まず、ストラップ取付部２３の孔２３Ａを閉じ、ストラップ保持部２３Ｂを重ねた状態で、孔１１にストラップ取付部２３を通し、孔１１に本体取付部２２を貫通させる。取付部材２０は弾性を有するため、孔１１に本体取付部２２を貫通させた状態では、ストラップ取付部２３は孔２３Ａが開いた状態、すなわちストラップ取付部２３の外形寸法が孔１１の内形寸法より大きい状態（図３参照）に戻る。その後、紐３３及びコネクタ３４が連結された紐取付部材３２に通された環状部材３１を、ストラップ取付部２３の孔２３Ａに通す。
【００２９】
本実施の形態では、ストラップ保持部２３Ｂを重ねたときの寸法ｄが孔１１の内形寸法ｂより小さいため、容易に組立ができる。ただし、ストラップ保持部２３Ｂを重ねたときの寸法ｄが孔１１の内形寸法ｂより小さくなくても、例えばストラップ取付部２３を変形させた場合の外形寸法が、孔１１の内形寸法ｂより小さくなればよい。
【００３０】
携帯端末用スタンド１を用いて携帯端末４０を自立させる方法について説明する。本体部材１０の上下方向が、携帯端末４０を自立させたときの上下方向と同じとなるように、携帯端末４０の所望の面の任意の位置に、貼着部２１を貼着させる。ここでは、表示部の上側が上、下側が下となり、底面が載置面に接するように、表示部の反対側の面（裏面）に携帯端末用スタンド１を取り付ける。
【００３１】
携帯端末４０の底面を載置面に置き、本体部材１０の下端（図２下側、孔１１が形成されていない方の端）を携帯端末４０と反対方向に広げて、本体部材１０の下端を載置面に置き、携帯端末４０を自立させる。本実施の形態では、取付部材２０が可撓性を有するため、本体部材１０を任意の角度だけ広げることができる。また、ストラップ取付部２３の外側寸法ｃが、孔１１の内形寸法ｂよりも大きい（図３参照）ため、本体部材１０を任意の角度だけ広げたとしても、本体部材１０が取付部材２０から抜けることはない。また、孔２３Ａに環状部材３１が取り付けられているため、本体部材１０が取付部材２０から抜けないようにする抜け止めの効果をより確実にすることができる。
【００３２】
携帯端末４０の角度は、貼着部２１の貼着位置と、本体部材１０を広げる角度とで調整できる。図５は、携帯端末４０を異なる角度で自立させた状態を示す図である。
【００３３】
図５（Ａ）、（Ｂ）は、本体部材１０を広げる角度θを変えることにより携帯端末４０の角度を変える様子を示す。本体部材１０を広げる角度θを小さくすると（図５（Ａ）参照）、携帯端末４０をより立てた状態で保持する。それに対し、本体部材１０を広げる角度θを大きくすると（図５（Ｂ）参照）、携帯端末４０をより寝せた状態で保持することができる。本実施の形態では、孔１１が本体部材１０の周縁近傍に形成されているため、本体部材１０を広げる角度の調整が容易である。これにより、携帯端末４０の角度調整を容易に行うことができる。
【００３４】
図５（Ａ）、（Ｃ）は、貼着部２１の貼着位置を変えることにより携帯端末４０の角度を変える様子を示す。貼着部２１を高い位置に貼着させると（図５（Ａ）参照）、携帯端末４０をより立てた状態で保持する。それに対し、貼着部２１を低い位置に貼着させると（図５（Ｃ）参照）、携帯端末４０をより寝せた状態で保持することができる。
【００３５】
本実施の形態によれば、簡単な構成で携帯端末の角度を調整することができる。また、本体部材も取付部材も小さいため、携帯性に優れ、携帯端末用スタンド全体をストラップとしても不自然がない製品を提供することができる。
【００３６】
以上、この発明の実施形態を、図面を参照して詳述してきたが、具体的な構成はこの実施形態に限られるものではなく、この発明の要旨を逸脱しない範囲の設計変更等も含まれる。
【符号の説明】
【００３７】
１：携帯端末用スタンド、１０：本体部材、１１：孔、２０：取付部材、２１：貼着部、２２：本体取付部、２３：ストラップ取付部、２３Ａ：孔、２３Ｂ：ストラップ保持部、３０：ストラップ、３１：環状部材、３２：紐、３３：コネクタ、４０：携帯端末
【図１】
2014078795.tif 000003
【図２】
2014078795.tif 000004
【図３】
2014078795.tif 000005
【図４】
2014078795.tif 000006
【図５】
2014078795.tif 000007